(57)【特許請求の範囲】
【請求項１】
平面視における長さが短い一対の短辺側壁部と、該短辺側壁部に対して平面視における長さが長い一対の長辺側壁部とで平面視略矩形に形成されるとともに、所定の厚みを有する断面凹状の貯水槽内に敷設される貯水槽用シートであって、
前記貯水槽用シートが、
前記貯水槽内の底部と対応する長さ及び幅に形成した平面視略矩形の底部シートと、
前記貯水槽の長辺側壁部と対応する長さ及び幅に形成され、前記底部シートの長辺側両縁部に対して、折り曲げ罫線を介して折り曲げ可能に連設された長辺部シートと、
前記貯水槽の短辺側壁部と対応する長さ及び幅に形成され、前記底部シートの短辺側両縁部に対して、折り曲げ罫線を介して折り曲げ可能に連設された短辺部シートと、
前記長辺側壁部の上部端面と対応する長さ及び幅に形成され、前記長辺部シートの遊端側縁部に対して、折り曲げ罫線を介して折り曲げ可能に連設された長辺覆いシートと、
前記短辺側壁部の上部端面と対応する長さ及び幅に形成され、前記短辺部シートの遊端側縁部に対して、折り曲げ罫線を介して折り曲げ可能に連設された短辺覆いシートとで構成され、
前記長辺部シートと前記短辺部シートとが交わる四隅の出隅部が、
前記長辺側壁部と前記短辺側壁部とが交わる四隅の入隅部を覆う大きさ及び形状に形成され、
前記出隅部を前記底部シートの縁部に重合させるように折り曲げ可能な折り曲げ罫線が、
前記長辺部シートの両端部から前記長辺覆いシートの遊端側縁部にかけて延びる平面視略直線状、あるいは、前記短辺部シートの両端部から前記短辺覆いシートの遊端側縁部にかけて延びる平面視略直線状に付設された
貯水槽用シート。
【請求項２】
前記長辺側壁部及び前記短辺側壁部と対応する幅に形成した出隅部シートが、
前記長辺部シートの長手方向の端部と、前記短辺部シートの短手方向の端部とに対して、折り曲げ罫線を介して折り曲げ可能に連設され、
前記出隅部シートを二つ折り可能な折り曲げ罫線が、
前記長辺部シートと、前記短辺部シートと、前記出隅部シートとの連設部分に付設された２本の折り曲げ罫線の交点を起点として、前記出隅部シートを二等分する対角線上に付設され、
二つ折りした前記出隅部シートが、前記出隅部に対して重ね合わせた状態にシート固定手段で固定された
請求項１に記載の貯水槽用シート。
【請求項３】
前記長辺部シート及び前記短辺部シートのうち、前記出隅部を前記底部シートの縁部に重合させるように折り曲げ可能な折り曲げ罫線が付設されていない一方のシートが、前記底部シートと対向する方向に対して折り畳み可能に連設され、
前記一方のシートと前記底部シートとを重ね合わせた厚みが、ロール状に巻回することが可能な厚みに形成された
請求項１または請求項２に記載の貯水槽用シート。
【請求項４】
前記貯水槽用シートにおける少なくとも貯水側の面が平滑に形成された
請求項１〜３のいずれか一つに記載の貯水槽用シート。
【請求項５】
前記貯水槽用シートが、
所定の肉厚に形成したシート部材と、該シート部材より肉厚が薄いフィルムとを一体に貼り合わせて形成された
請求項１〜４のいずれか一つに記載の貯水槽用シート。
【請求項６】
前記シート部材が、
発泡構造、あるいは発泡材料で形成された
請求項５に記載の貯水槽用シート。
【請求項７】
前記折り曲げ罫線が、
所定角度で傾斜し相互に対峙する一対の側面部と、該側面部の一端側と連続する底面部とで構成され、
前記底面部が、
前記貯水槽用シートの折り曲げ動作によって破断されない肉厚に形成された
請求項１〜６のいずれか一つに記載の貯水槽用シート。
【請求項８】
平面視における長さが短い一対の短辺側壁部と、該短辺側壁部に対して平面視における長さが長い一対の長辺側壁部とで平面視略矩形に形成されるとともに、所定の厚みを有する断面凹状の貯水槽内に敷設される貯水槽用シートの敷設構造であって、
前記貯水槽用シートが、
前記貯水槽内の底部と対応する長さ及び幅に形成した平面視略矩形の底部シートと、
前記貯水槽の長辺側壁部と対応する長さ及び幅に形成され、前記底部シートの長辺側両縁部に対して、折り曲げ罫線を介して折り曲げ可能に連設された長辺部シートと、
前記貯水槽の短辺側壁部と対応する長さ及び幅に形成され、前記底部シートの短辺側両縁部に対して、折り曲げ罫線を介して折り曲げ可能に連設された短辺部シートと、
前記長辺側壁部の上部端面と対応する長さ及び幅に形成され、前記長辺部シートの遊端側縁部に対して、折り曲げ罫線を介して折り曲げ可能に連設された長辺覆いシートと、
前記短辺側壁部の上部端面と対応する長さ及び幅に形成され、前記短辺部シートの遊端側縁部に対して、折り曲げ罫線を介して折り曲げ可能に連設された短辺覆いシートとで構成され、
前記長辺部シートと前記短辺部シートとが交わる四隅の出隅部が、
前記長辺側壁部と前記短辺側壁部とが交わる四隅の入隅部を覆う大きさ及び形状に形成され、
前記出隅部を前記底部シートの縁部に重合させるように折り曲げ可能な折り曲げ罫線が、
前記長辺部シートの両端部から前記長辺覆いシートの遊端側縁部にかけて延びる平面視略直線状、あるいは、前記短辺部シートの両端部から前記短辺覆いシートの遊端側縁部にかけて延びる平面視略直線状に付設された
貯水槽用シートの敷設構造。
【請求項９】
前記長辺側壁部及び前記短辺側壁部と対応する幅に形成した出隅部シートが、
前記長辺部シートの長手方向の端部と、前記短辺部シートの短手方向の端部とに対して、折り曲げ罫線を介して折り曲げ可能に連設され、
前記出隅部シートを二つ折り可能な折り曲げ罫線が、
前記長辺部シートと、前記短辺部シートと、前記出隅部シートとの連設部分に付設された２本の折り曲げ罫線の交点を起点として、前記出隅部シートを二等分する対角線上に付設され、
二つ折りした前記出隅部シートが、前記出隅部に対して重ね合わせた状態にシート固定手段で固定された
請求項８に記載の貯水槽用シートの敷設構造。
【請求項１０】
前記長辺部シート及び前記短辺部シートのうち、前記出隅部を前記底部シートの縁部に重合させるように折り曲げ可能な折り曲げ罫線が付設されていない一方のシートが、前記底部シートと対向する方向に対して折り畳み可能に連設され、
前記一方のシートと前記底部シートとを重ね合わせた厚みが、ロール状に巻回することが可能な厚みに形成された
請求項８または請求項９のいずれか一つに記載の貯水槽用シートの敷設構造。
【請求項１１】
前記貯水槽用シートにおける少なくとも貯水側の面が平滑に形成された
請求項８〜１０のいずれか一つに記載の貯水槽用シートの敷設構造。
【請求項１２】
前記貯水槽用シートが、
所定の肉厚に形成したシート部材と、該シート部材より肉厚が薄いフィルムとを一体に貼り合わせて形成された
請求項８〜１１のいずれか一つに記載の貯水槽用シートの敷設構造。
【請求項１３】
前記シート部材が、
発泡構造、あるいは発泡材料で形成された
請求項１２に記載の貯水槽用シートの敷設構造。
【請求項１４】
前記折り曲げ罫線が、
所定角度で傾斜し相互に対峙する一対の側面部と、該側面部の一端側と連続する底面部とで構成され、
前記底面部が、
前記貯水槽用シートの折り曲げ動作によって破断されない肉厚に形成された
請求項８〜１３のいずれか一つに記載の貯水槽用シートの敷設構造。
【発明の詳細な説明】
【技術分野】
【０００１】
この発明は、例えば野菜、イチゴ、果樹、薬草などの植物の栽培、あるいは、魚介類の養殖等に用いられる貯水槽用シート及び貯水槽用シートの敷設構造に関し、さらに詳しくは、貯水槽内に貯水する際に用いられる貯水槽用シート及び貯水槽用シートの敷設構造に関する。
【背景技術】
【０００２】
上述のような貯水槽を用いた植物の栽培装置としては、様々なものが多数提案されており、特許文献１に開示の水耕栽培装置も、このような栽培装置の一つである。特許文献１の水耕栽培装置は、植物の生育に必要な成分が含まれる栽培水を、合成樹脂製のシートが敷設された貯水槽内に貯水した後、苗等の植物が植えられた発泡構造を有する浮き部材を貯水槽内の水面に浮かせて栽培する。
【０００３】
しかし、上述のシートを貯水槽内に敷設する場合、略平坦に形成したシートを貯水槽の内壁面に対してぴったりと密着する状態に変形させて敷設するため、シートの変形した部分に、例えば皺が寄ったり、波打ったり、凹凸等が発生しやすい。また、シート自体が復元力によって略平坦な状態に復帰しようとするため、貯水槽の内壁面に対してぴったりと密着した状態に敷設することが難しい。特に、貯水槽の長辺側壁部と短辺側壁部とが交わる四隅の入隅部の内壁面に対してぴったりと密着した状態に敷設することが難しい。
【０００４】
シートの代わりにフィルムを貯水槽内に敷設する場合、フィルムはシートに比べて肉厚が薄いため、貯水槽の角部に引っ掛かると破れたり、伸びたりしやすい。フィルムが伸びると肉厚がさらに薄くなるため、穴が開いたり、裂けたりしやすく、水漏れが発生する原因となる。フィルムの肉厚を厚くすれば、上述のような問題が発生しにくくなるが、シートと同様に貯水槽の内壁部に対してぴったりと密着した状態に敷設することが難しい。
【先行技術文献】
【特許文献】
【０００５】
【特許文献１】実開昭５２−１５７４２８号公報
【発明の概要】
【発明が解決しようとする課題】
【０００６】
この発明は、貯水槽の内壁面に対してぴったりと密着させた状態に敷設することができるとともに、不要時において略平坦な状態に折り畳むことができる貯水槽用シート及び貯水槽用シートの敷設構造を提供することを目的とする。
【課題を解決するための手段】
【０００７】
この発明は、平面視における長さが短い一対の短辺側壁部と、該短辺側壁部に対して平面視における長さが長い一対の長辺側壁部とで平面視略矩形に形成されるとともに、所定の厚みを有する断面凹状の貯水槽内に敷設される貯水槽用シート及び貯水槽用シートの敷設構造であって、前記貯水槽用シートを、前記貯水槽内の底部と対応する長さ及び幅に形成した平面視略矩形の底部シートと、前記貯水槽の長辺側壁部と対応する長さ及び幅に形成され、前記底部シートの長辺側両縁部に対して、折り曲げ罫線を介して折り曲げ可能に連設された長辺部シートと、前記貯水槽の短辺側壁部と対応する長さ及び幅に形成され、前記底部シートの短辺側両縁部に対して、折り曲げ罫線を介して折り曲げ可能に連設された短辺部シートと、前記長辺側壁部の上部端面と対応する長さ及び幅に形成され、前記長辺部シートの遊端側縁部に対して、折り曲げ罫線を介して折り曲げ可能に連設された長辺覆いシートと、前記短辺側壁部の上部端面と対応する長さ及び幅に形成され、前記短辺部シートの遊端側縁部に対して、折り曲げ罫線を介して折り曲げ可能に連設された短辺覆いシートとで構成し、前記長辺部シートと前記短辺部シートとが交わる四隅の出隅部を、前記長辺側壁部と前記短辺側壁部とが交わる四隅の入隅部を覆う大きさ及び形状に形成し、前記出隅部を前記底部シートの縁部に重合させるように折り畳み可能な折り曲げ罫線を、前記長辺部シートの両端部から前記長辺覆いシートの遊端側縁部にかけて延びる平面視略直線状、あるいは、前記短辺部シートの両端部から前記短辺覆いシートの遊端側縁部にかけて延びる平面視略直線状に付設したことを特徴とする。
【０００８】
上述の貯水槽用シートは、例えば０．２ｍｍ〜０．９ｍｍの範囲に含まれる肉厚に形成したプラスチックシートで構成することができる。プラスチックシートの材質は、例えばポリプロピレン（ＰＰ）、ポリエチレン（ＰＥ）、塩化ビニル（ＰＶＣ）、アモルファスポリエチレンテレフタレート（Ａ−ＰＥＴ）、ポリカーボネート（ＰＣ）等の単体シート又は複合シートで構成することができる。  
また、貯水槽の内壁面は、例えば貯水槽内の底部、長辺側壁部、短辺側壁部、入隅部等の内壁面を含む概念である。
【０００９】
この発明によれば、貯水槽の内壁面に対してぴったりと密着させた状態に敷設することができるとともに、不要時において略平坦な状態に折り畳むことができる貯水槽用シートを提供することができる。
【００１０】
詳しくは、貯水槽用シートを略平坦な状態に折り畳む場合、例えば底部シートの長辺側両縁部に連設した長辺部シートを短手方向の外側に向けて折り曲げるとともに、底部シートの短辺側両縁部に連設した短辺部シートを長手方向の内側に向けて折り曲げる。その際に、長辺部シートと短辺部シートとが交わる四隅の出隅部を略平坦な状態に折り畳む。
【００１１】
この結果、貯水槽用シートの全体を略平坦な状態に折り畳むことができる。  
しかも、貯水槽用シートを略平坦な状態に折り畳んだままロール状に巻回することができるため、例えば貯水槽用シートをつづら折り状態に折り畳むよりも、ロール状に巻回した方が嵩張らず、保管場所が小さくて済むため、輸送や運搬するのに便利である。
【００１２】
さらに、短辺部シートを底部シートの短辺側に重ね合わせるため、長辺部シートの全長を底部シートの長手方向に重ね合わせるよりも、シート同士を重ね合わせた部分の面積が小さく、短辺部シートを底部シートに重ね合わせた部分以外の厚みを薄くすることができる。  
これにより、貯水槽用シートをロール状に巻回する際に、ロール状に巻回した巻回シートの外径が大きくなることを防止できる。
【００１３】
上述の貯水槽用シートを貯水槽内に敷設する場合、例えばロール状に巻回した貯水槽用シートを展開して、底部シートを貯水槽内の底部に対してぴったりと密着させた状態に敷設する。その際に、底部シートの長辺側両縁部を貯水槽の底部と長辺側壁部とが交わる長辺側角部に沿わせるとともに、底部シートの短辺側両縁部を底部と短辺側壁部とが交わる短辺側角部に沿わせる。
【００１４】
長辺部シートと短辺部シートとを引き起こして、底部シートの長辺側両縁部と短辺側両縁部との内壁面に沿わせるとともに、長辺部シートと短辺部シートとが交わる四隅の出隅部を引き起こして、貯水槽の長辺側壁部と短辺側壁部とが交わる四隅の入隅部の内壁面に沿わせる。
【００１５】
この結果、貯水槽用シートを、貯水槽の内壁面に対してぴったりと密着させた状態に簡単に敷設することができる。  
しかも、略平坦に形成した貯水槽用シートを貯水槽の内壁面と対応する形状に変形させる必要がないため、長辺部シート及び短辺部シートに、例えば皺や波打ち、凹凸等が発生することを防止できる。
【００１６】
さらに、貯水槽用シートの出隅部を貯水槽の入隅部を覆う大きさ及び形状に予め形成しているため、貯水槽用シートの出隅部を貯水槽の入隅部に沿う状態に敷設するだけで、貯水槽用シートの出隅部を貯水槽の入隅部に対してぴったりと密着させた状態に敷設することができる。  
これにより、貯水槽用シートを貯水槽内に敷設する作業が簡単かつ容易に行え、貯水槽用シートを敷設する際の作業性が向上する。
【００１７】
またこの発明は、前記長辺側壁部の上部端面及び側部外面を覆う長さ及び幅に形成した長辺覆いシートを、前記長辺部シートの遊端側縁部に対して、折り曲げ罫線を介して折り曲げ可能に連設し、前記短辺側壁部の上部端面と対応する長さ及び幅に形成した短辺覆いシートを、前記短辺部シートの遊端側縁部に対して、折り曲げ罫線を介して折り曲げ可能に連設したことを特徴とする。
【００１８】
この発明によれば、貯水槽用シートを貯水槽の内壁面に対してぴったりと密着させた状態に敷設する際に、貯水槽の長辺側壁部及び短辺側壁部の上部端面を覆うことができる。 
詳しくは、長辺部シートの遊端側縁部に連設した長辺覆いシートを短手方向の外側に向けて折り曲げるとともに、短辺部シートの遊端側縁部に連設した短辺覆いシートを長手方向の外側に向けて折り曲げる。
【００１９】
これにより、長辺側壁部の上部端面を長辺覆いシートで覆うとともに、短辺側壁部の上部端面を短辺覆いシートで覆うことができる。 
この結果、貯水槽の底部下面以外の外面を貯水槽用シートで覆うことができる。
【００２０】
この発明の態様として、前記長辺側壁部及び前記短辺側壁部と対応する幅に形成した出隅部シートを、前記長辺部シートの長手方向の端部と、前記短辺部シートの短手方向の端部とに対して、折り曲げ罫線を介して折り曲げ可能に連設し、前記出隅部シートを二つ折り可能な折り曲げ罫線を、前記長辺部シートと、前記短辺部シートと、前記出隅部シートとの連設部分に付設された２本の折り曲げ罫線の交点を起点として、前記出隅部シートを二等分する対角線上に付設し、二つ折りした前記出隅部シートを、前記出隅部に対して重ね合わせた状態にシート固定手段で固定することができる。
【００２１】
上記シート固定手段は、例えば接着、溶着、溶接、あるいは粘着テープ等で構成することができる。  
この発明によれば、貯水槽用シートの長辺部シートと短辺部シートとが交わる四隅の出隅部を、貯水槽の長辺側壁部と短辺側壁部とが交わる四隅の入隅部の内壁面に対してぴったりと密着させた状態に敷設することができる。
【００２２】
詳しくは、貯水槽用シートの長辺部シートと短辺部シートとの間に連設された出隅部シートを、対角線上に付設した折り曲げ罫線に沿って二つ折り状態（例えばガゼット折りやその他の折り方等）に折り曲げるとともに、二つ折りした出隅部シートを、長辺部シートと短辺部シートとが交わる四隅の出隅部の内面、あるいは、出隅部の外面に対して重ね合わせる。その際に、出隅部シートの重ね合わせた部分と、出隅部の内面又は外面に重ね合わせた部分をシート接合手段にて接合する。
【００２３】
これにより、貯水槽用シートの長辺部シートと短辺部シートとが交わる四隅の出隅部を、貯水槽の長辺側壁部と短辺側壁部とが交わる四隅の入隅部に沿う状態に予め形成しておくことができる。
【００２４】
この結果、貯水槽用シートの長辺部シートと短辺部シートとが交わる四隅の出隅部に水漏れが発生することを確実に防止できるとともに、貯水槽の周囲に水滴が滴り落ちることがなく、綺麗な状態を保つことができる。
【００２５】
しかも、貯水槽用シートの出隅部を貯水槽の入隅部を覆う大きさ及び形状に予め形成しているため、貯水槽用シートの出隅部を貯水槽の入隅部に沿う状態に敷設するだけで、貯水槽の入隅部を貯水槽用シートの出隅部に対してぴったりと密着させた状態に敷設することができる。  
この結果、貯水槽用シートを敷設する敷設作業に熟練や経験を必要とせず、貯水槽用シートの敷設作業がだれでも簡単かつ容易に行える。
【００２６】
またこの発明の態様として、前記長辺部シート及び前記短辺部シートのうち、前記出隅部を前記底部シートの縁部に重合させるように折り曲げ可能な折り曲げ罫線が付設されていない一方のシートを、前記底部シートと対向する方向に対して折り畳み可能に連設し、前記一方のシートと前記底部シートとを重ね合わせた厚みを、ロール状に巻回することが可能な厚みに形成することができる。
【００２７】
この発明によれば、貯水槽用シートをロール状により確実に巻回することができる。  
詳しくは、長辺部シート及び短辺部シートのうち一方のシートを、底部シートと対向する方向に折り曲げて、貯水用シートの全体を略平坦な状態に折り畳むため、一方のシートと底部シートとを重ね合わせた厚みを、ロール状に巻回することが可能な厚みに形成することができる。  
この結果、貯水槽用シートを略平坦な状態に折り畳んだままロール状に巻回することができるため、嵩張らず、保管場所が小さくて済むため、輸送や運搬するのに便利である。
【００２８】
またこの発明の態様として、前記貯水槽用シートにおける少なくとも貯水側の面を平滑に形成することができる。  
上述の少なくとも貯水側の面とは、例えば貯水槽用シートにおける貯水側の面、あるいは、貯水側の面以外の面を含む概念である。また、平滑とは、例えば摩擦係数が小さい平滑なフィルムを貯水槽用シートに貼着すること、あるいは、摩擦係数が小さい平滑な被覆層を貯水槽用シートに塗布又は蒸着する等して形成することを含む概念である。
【００２９】
この発明によれば、例えば水面に浮かせた浮き部材を貯水槽の長手方向に移動させることができる。  
詳しくは、例えば水面に浮かせた浮き部材を貯水槽の長手方向に移動させる際に、浮き部材が貯水槽用シートの貯水側の面に接触しても、浮き部材と貯水槽用シートとの接触部分に生じる接触抵抗が小さいため、水面に浮かせた浮き部材を、植物の生育状況に応じて貯水槽の長手方向に対してスムーズに移動させることができる。
【００３０】
この結果、例えば浮き部材を貯水槽の内部に対して長手方向の一端側から挿入し、貯水槽の他端側から取り出す作業がスムーズに行える。  
しかも、貯水槽用シートの貯水側の面が平滑であるため、例えば藻や水垢、その他の汚れ等が付着しにくく、仮に付着しても簡単かつ容易に除去することができる。
【００３１】
またこの発明の態様として、前記貯水槽用シートを、所定の肉厚に形成したシート部材と、該シート部材より肉厚が薄いフィルムとを一体に貼り合わせて形成することができる。  
この発明によれば、貯水槽用シートを貯水槽の内壁面に対してぴったりと密着させた状態に敷設する敷設作業がより容易に行える。
【００３２】
詳しくは、例えば合成樹脂製のシート部材のみで形成した貯水槽用シートに比べて、本発明の貯水槽用シートの方が折り曲げやすく、貯水槽用シートの長辺部シートと短辺部シートとを、貯水槽の長辺側壁部と短辺側壁部とに対してぴったりと密着させた状態に敷設することができる。
【００３３】
またこの発明の態様として、前記シート部材を、発泡構造、あるいは発泡材料で形成することができる。  
上述の構造とは、例えば発泡構造や多孔質構造等を含む概念である。また、材料は、例えば発泡樹脂や多孔質材料等を含む概念である。
【００３４】
この発明によれば、貯水槽用シート全体の重量をより軽くして、取り扱い易くすることができる。  
詳しくは、例えば合成樹脂製のシート部材のみで形成した貯水槽用シートに比べて、本発明の貯水槽用シートの方がより重量が軽く、取り扱い易いため、輸送や運搬する際の作業がより容易に行えるとともに、作業性が向上する。また、貯水槽用シートを貯水槽内に敷設する敷設作業、あるいは、経年変化や水漏れ等が生じた貯水槽用シートを回収する回収作業が容易に行える。
【００３５】
またこの発明の態様として、前記折り曲げ罫線を、所定角度で傾斜し相互に対峙する一対の側面部と、該側面部の一端側と連続する底面部とで構成し、前記底面部を、前記貯水槽用シートの折り曲げ動作によって破断されない肉厚に形成することができる。
【００３６】
この発明によれば、貯水槽内に敷設した貯水槽用シートに水漏れが発生することを防止できる。  
詳しくは、貯水槽用シートを貯水槽内に敷設する際に、貯水槽用シートの長辺部シートと、短辺部シートと、出隅部シートとを、貯水槽の長辺側壁部と、短辺側壁部と、入隅部とに沿う状態に容易に折り曲げることができる。また、各部シートの折り曲げ動作を何回繰り返しても、各部シートの連設部分に付設した折り曲げ罫線の底面部が破断されることがない。
【００３７】
この結果、貯水槽用シートを貯水槽の内壁面に対してぴったりと密着させた状態に容易に敷設することができるとともに、貯水槽用シートの折り曲げ部分に水漏れが発生することを防止できる。  
しかも、貯水槽用シートを敷設した貯水槽内に、例えば植物の栽培や、魚介類の養殖等に必要な量の水を確実に貯水することができる。
【発明の効果】
【００３８】
この発明によれば、貯水槽の内壁面に対してぴったりと密着させた状態に敷設することができるとともに、不要時において略平坦な状態に折り畳むことができる貯水槽用シート及び貯水槽用シートの敷設構造を提供することができる。
【図面の簡単な説明】
【００３９】
【図１】実施例１の貯水槽用シートを用いた水耕栽培装置の説明図。
【図２】貯水槽用シートが敷設された貯水槽を短手方向に分断した断面図。
【図３】貯水槽用シートが敷設される貯水槽の斜視図。
【図４】貯水槽用シートを展開した平面図。
【図５】貯水槽用シートを略平坦な状態に折り畳んだ際の平面図。
【図６】貯水槽内に敷設した貯水槽用シートの平面図。
【図７】図６に示す貯水槽用シートを長手方向の一端側から見た側面図。
【図８】貯水槽の底部下面以外の面を覆った貯水槽用シートの平面図。
【図９】ロール状に巻回した貯水槽用シートの斜視図。
【図１０】実施例１，２の貯水槽用シートに付設した折り曲げ罫線の拡大断面図。
【図１１】実施例３の貯水槽用シートの説明図。
【発明を実施するための形態】
【００４０】
この発明の一実施形態を以下図面に基づいて詳述する。  
（実施例１）  
図１は実施例１の貯水槽用シート１０Ａを用いた水耕栽培装置４０の説明図、図２は貯水槽用シート１０Ａが敷設された貯水槽２０を短手方向Ｓに分断した断面図であり、詳しくは、図２（ａ）は浮き部材３１を貯水槽２０内の水面に浮かせた状態の断面図、図２（ｂ）は浮き部材３１を貯水槽２０の長辺側壁部に載せた状態の断面図、図３は貯水槽用シート１０Ａが敷設される貯水槽２０の斜視図である。
【００４１】
図４は貯水槽用シート１０Ａを展開した平面図、図５は貯水槽用シート１０Ａを略平坦な状態に折り畳んだ際の平面図、図６は貯水槽２０内に敷設した貯水槽用シート１０Ａの平面図、図７は図６に示す貯水槽用シート１０Ａを長手方向Ｌの一端側から見た側面図、図８は貯水槽２０の底部２０１下面以外の面を覆うように敷設した貯水槽用シート１０Ａの平面図である。
【００４２】
図９はロール状に巻回した貯水槽用シート１０Ａの斜視図、図１０は貯水槽用シート１０Ａに付設した折り曲げ罫線１２の拡大断面図であり、詳しくは、図１０（ａ）は折り曲げ罫線１２，１２０を付設した実施例１の貯水槽用シート１０Ａの拡大断面図である。
【００４３】
なお、以下の説明における長手方向Ｌは、平面視略矩形を有する貯水槽用シート１０Ａ及び貯水槽２０の長手方向であり、短手方向Ｓは、平面方向において長手方向Ｌに直交する方向（幅方向）である。
【００４４】
本発明の貯水槽用シート１０Ａは、断面凹状に形成した平面視略矩形を有する貯水槽２０内に敷設される。貯水槽用シート１０Ａを敷設した貯水槽２０内には、苗等の植物Ａの生育に必要な成分が含まれる栽培水３０を所定量貯水する。貯水槽２０内に貯水された栽培水３０の水面には、苗等の植物Ａが植えられた発泡樹脂製の浮き部材３１を浮かせる（図１、図２（ａ）（ｂ）参照）。
【００４５】
貯水槽２０は、水耕栽培装置４０に設けられた複数の棚部４１に対して長手方向Ｌに載置される。棚部４１の下面には、下段側の棚部４１に載置された貯水槽２０の植物Ａを照光するための光源として、ＬＥＤランプ４２を短手方向Ｓに対して所定間隔を隔てて複数配置している（図１参照）。  
なお、実施例では棚部４１の上下間隔を５０ｃｍ間隔に設定しているが、植物Ａの生育に応じて変更してもよい。
【００４６】
貯水槽２０は、断面凹状に形成した発泡樹脂製の槽部材２１を長手方向Ｌに複数配列して構成している。貯水槽２０の底部２０１は、槽部材２１を長手方向Ｌに複数配列した貯水槽２０全体より一回り小さい平面視略矩形に形成している（図２、図３参照）。
【００４７】
貯水槽２０（槽部材２１）の長辺側両縁部には、貯水槽２０の長手方向Ｌと平行して長辺側壁部２０２を一体に形成している。貯水槽２０の短手側縁部には、貯水槽２０の短手方向Ｓと平行して短辺側壁部２０３を形成している。短辺側壁部２０３は、長手方向Ｌの一端側及び他端側に配置した槽部材２１の短辺側開口部に対して着脱可能に嵌合している。
【００４８】
実施例１では貯水槽２０の長さ及び幅を、長さ５０ｍ、幅０．９ｍに設定しているが、栽培する植物Ａに応じて所望の長さ及び幅に変更してもよい。また、貯水槽２０の高さ（深さ）は、所望する高さに設定している。
【００４９】
貯水槽用シート１０Ａは、貯水槽２０内の底部２０１と対応する長さ及び幅に形成した平面視略矩形の底部シート１０１と、貯水槽２０の長辺側壁部２０２と対応する長さ及び幅に形成した長辺部シート１０２と、貯水槽２０の短辺側壁部２０３と対応する長さ及び幅に形成した短辺部シート１０３と、長辺側壁部２０２及び短辺側壁部２０３と対応する幅に形成した平面視略正方形の出隅部シート１０４とで構成している（図４参照）。
【００５０】
貯水槽用シート１０Ａは、不透明又は半透明に形成したポリエチレン（ＰＥ）製のシート部材１１Ａで形成している。シート部材１１Ａの肉厚Ｔは、０．２ｍｍ〜０．９ｍｍの範囲に含まれる肉厚に形成している。具体的には０．２５ｍｍ〜０．３ｍｍの範囲に含まれる肉厚に形成している（図１０（ａ）参照）。
【００５１】
長辺部シート１０２は、底部シート１０１の長手方向Ｌと平行する長辺側両縁部に対して、折り曲げ罫線１２を介して折り曲げ可能に連設している。  
短辺部シート１０３は、底部シート１０１の短手方向Ｓと平行する短辺側両縁部に対して、折り曲げ罫線１２を介して折り曲げ可能に連設している。  
出隅部シート１０４は、長辺部シート１０２の長手方向Ｌの端部と、短辺部シート１０３の短手方向Ｓの端部とに対して、折り曲げ罫線１２を介して折り曲げ可能に連設している（図４参照）。
【００５２】
出隅部シート１０４は、シート１０２，１０３の端部を一辺として、平面視略正方形を成す大きさ及び形状に形成している。出隅部シート１０４を二等分する対角線上には、出隅部シート１０４の直角を成す二つの辺部の交点、すなわち、シート１０２，１０３と出隅部シート１０４との連設部分に付設した２本の折り曲げ罫線１２の交点Ｐを起点として、出隅部シート１０４を二つ折り可能な折り曲げ罫線１２が、２本の折り曲げ罫線１２が成す角度を二等分する対角線方向に付設している。
【００５３】
出隅部シート１０４は二つ折り（具体的にはガゼット折り）して、長辺部シート１０２と短辺部シート１０３とが交わる出隅部１０５の外面に重ね合わせるとともに、出隅部シート１０４の重ね合わせた部分と、出隅部１０５の外面に重ね合わせた部分とを接着剤Ｂで接着している（図５、図７参照）。
【００５４】
長辺部シート１０２の遊端側縁部には、長辺側壁部２０２の上部端面と対応する長さ及び幅に形成した上面覆いシート１１２を、折り曲げ罫線１２を介して折り曲げ可能に連設している（図４参照）。  
上面覆いシート１１２の遊端側縁部には、長辺側壁部２０２の外壁面と対応する長さ及び幅に形成した外面覆いシート１２２を、折り曲げ罫線１２を介して折り曲げ可能に連設している。
【００５５】
上面覆いシート１１２の両端部には、上面覆いシート１１２と対応する幅に形成した幅狭のシート片１１２ａを、折り曲げ罫線１２を介して折り曲げ可能に連設している。シート片１１２ａには、２本の折り曲げ罫線１２が所定間隔を隔てて付設されている（図４参照）。
【００５６】
外面覆いシート１２２の両端部には、外面覆いシート１２２と対応する幅に形成した幅広のシート片１２２ａを、折り曲げ罫線１２を介して折り曲げ可能に連設している。シート片１２２ａには、２本の折り曲げ罫線１２が所定間隔を隔てて付設されている。
【００５７】
短辺部シート１０３の遊端側縁部には、短辺側壁部２０３の上部端面と対応する長さ及び幅に形成した上面覆いシート１１３を、折り曲げ罫線１２を介して折り曲げ可能に連設している（図４参照）。  
上面覆いシート１１３の遊端側縁部には、短辺側壁部２０３の外壁面と対応する長さ及び幅に形成した外面覆いシート１２３を、折り曲げ罫線１２を介して折り曲げ可能に連設している。  
上面覆いシート１１３の両端部には、上面覆いシート１１３と対応する幅に形成したシート片１１３ａを、折り曲げ罫線１２を介して折り曲げ可能に連設している。
【００５８】
長辺部シート１０２の両端部には、長辺部シート１０２と出隅部シート１０４との連設部分に敷設した折り曲げ罫線１２と、短辺部シート１０３と出隅部シート１０４との連設部分に付設した折り曲げ罫線１２との交点Ｐを起点として、二つ折り可能な折り曲げ罫線１２０を斜めに付設している。折り曲げ罫線１２０は、底部シート１０１の長辺側縁部を基準として略４５度の角度に傾斜している（図４参照）。
【００５９】
折り曲げ罫線１２，１２０は、所定角度で傾斜し相互に対峙する一対の側面部１２１と、側面部１２１の一端側と連続する底面部１２２とで構成している。底面部１２２は、貯水槽用シート１０Ａの各連設部分を折り曲げ罫線１２に沿って折り曲げた際に破断されない肉厚に形成している（図１０（ａ）参照）。
【００６０】
上述の貯水槽用シート１０Ａを略平坦な状態に折り畳む際の手順について説明する。  
先ず、貯水槽用シート１０Ａの長辺部シート１０２を短手方向Ｓの外側に向けて折り曲げながら、短辺部シート１０３を長手方向Ｌの内側に向けて底部シート１０１と対向する方向に対して折り曲げる（図５参照）。
【００６１】
つまり、長辺部シート１０２の両端部を、折り曲げ罫線１２０に沿って短手方向Ｓの内側に向けて二つ折りするとともに、折り曲げ罫線１２０を長辺として略三角形に二つ折りした部分を、短手方向Ｓの外側に向けて展開した長辺部シート１０２に重ね合わせる。
【００６２】
これにより、長辺部シート１０２を底部シート１０１に対して短手方向Ｓに展開して、短辺部シート１０３を底部シート１０１に対して重ね合わせた状態に折り畳むことができる。また、長辺部シート１０２と短辺部シート１０３とが交わる四隅の出隅部１０５を略平坦な状態に折り畳むことができる。  
この結果、貯水槽用シート１０Ａの短辺側を略平坦な状態に折り畳むことができる。
【００６３】
しかも、底部シート１０１と短辺部シート１０３とを重ね合わせた部分の厚みが、ロール状に巻回することが可能な２枚のシートを重ね合わせた程度の厚みとなるため、略平坦な状態に折り畳まれた貯水槽用シート１０Ａをロール状に巻回することができる（図９参照）。  
これにより、貯水槽用シート１０Ａをつづら折り状態に折り畳むよりも、ロール状に巻回した方が嵩張らず、保管場所が小さくて済むため、輸送や運搬するのに便利である。
【００６４】
さらに、短辺部シート１０３を底部シート１０１の短辺側に重ね合わせるため、長辺部シート１０２の全長を底部シート１０１の長手方向に重ね合わせるよりも、シート同士を重ね合わせた部分の面積が小さく、短辺部シート１０３を底部シート１０１に重ね合わせた部分以外の厚みを薄くすることができる。  
これにより、貯水槽用シート１０Ａをロール状に巻回する際に、ロール状に巻回した巻回シートの外径が大きくなることを防止できる。
【００６５】
また、略平坦な状態に折り畳まれた貯水槽用シート１０Ａをロール状に巻回する場合、例えば２枚〜５枚の貯水槽用シート１０Ａを略平坦な状態に折り畳んだまま上下に重ね合わせるとともに、上下に重ね合わせた貯水槽用シート１０Ａを短辺部シート１０３が底部シート１０１に重ね合わされた部分だけ長手方向Ｌにずらせて巻回する。
【００６６】
これにより、貯水槽用シート１０Ａにおける巻き始め部分の内径を大きくして巻回することができるため、合成樹脂製の貯水槽用シート１０Ａに巻き癖が付くことを防止できるとともに、貯水槽２０の内壁面に対してぴったりと密着する状態に敷設することができる。
【００６７】
上述の貯水槽用シート１０Ａを貯水槽２０内に敷設する際の手順について説明する。  
先ず、図９に示すロール状に巻回した貯水槽用シート１０Ａを長手方向Ｌ及び短手方向Ｓに展開して、底部シート１０１を貯水槽２０内の底部２０１と、長辺側壁部２０２と、短辺側壁部２０３とに対してぴったりと密着させた状態に敷設する。
【００６８】
つまり、底部シート１０１の長辺側両縁部を、貯水槽２０の底部２０１と長辺側壁部２０２とが交わる長辺側角部に沿わせるとともに、底部シート１０１の短辺側両縁部を、貯水槽２０の底部２０１と短辺側壁部２０３とが交わる短辺側角部に沿わせる（図６、図７参照）。
【００６９】
長辺部シート１０２と短辺部シート１０３とを引き起こして、貯水槽２０の長辺側壁部２０２と短辺側壁部２０３との内壁面に沿わせるとともに、長辺部シート１０２と短辺部シート１０３とが交わる四隅の出隅部１０５を引き起こして、貯水槽２０の長辺側壁部２０２と短辺側壁部２０３とが交わる四隅の入隅部２０４に沿わせる。
【００７０】
これにより、貯水槽用シート１０Ａの底部シート１０１と、長辺部シート１０２と、短辺部シート１０３と、四隅の出隅部１０５とを、貯水槽２０内の底部２０１と、長辺側壁部２０２と、短辺側壁部２０３と、四隅の入隅部２０４とに対してぴったりと密着した状態に敷設することができる。
【００７１】
続いて、長辺部シート１０２の上面覆いシート１１２と、短辺部シート１０３の上面覆いシート１１３とを外側に向けて略水平に折り曲げることにより、長辺側壁部２０２と短辺側壁部２０３との上部端面に対してぴったりと密着した状態に敷設することができる（図８参照）。
【００７２】
さらに、上面覆いシート１１２の外面覆いシート１２２と、上面覆いシート１１３の外面覆いシート１２３とを下方に向けて略垂直に折り曲げることにより、長辺側壁部２０２と短辺側壁部２０３との外壁面に対してぴったりと密着した状態に敷設することができる。
【００７３】
さらにまた、長辺部シート１０２の外面覆いシート１２２と、短辺部シート１０３の外面覆いシート１２３とを略垂直に折り曲げて、長辺側壁部２０２と短辺側壁部２０３との外壁面に密着させることにより、展開した貯水槽用シート１０Ａがロール状に巻回した状態に戻ることを防止できる。
【００７４】
さらにまた、シート片１２２ａを貯水槽２０の角隅部外面に沿って折り曲げ、外面覆いシート１２３に重ね合わせた後、シート片１１２ａを貯水槽２０の角隅部外面に沿って折り曲げ、シート片１２２ａに重ね合わせる。シート片１１２ａと、シート片１２２ａと、外面覆いシート１２３とを重ね合わせた部分を接着剤Ｂで接着する。  
この結果、貯水槽用シート１０Ａを、貯水槽２０の底部２０１下面以外の面に対してぴったりと密着した状態に敷設することができる。
【００７５】
しかも、出隅部シート１０４を二つ折りして、出隅部シート１０４の重ね合わせた部分と、出隅部１０５の外面に重ね合わせた部分とを接着剤Ｂで接着しているため、貯水槽用シート１０Ａを敷設した貯水槽２０内に対して栽培水３０を満水となる水位まで貯水しても、貯水槽２０内に貯水された栽培水３０が、毛細管現象によって出隅部シート１０４の重ね合わせ部分を伝って上がってくることを確実に防止できる。
【００７６】
これにより、貯水槽用シート１０Ａを貯水槽２０内に敷設した状態において、四隅の出隅部１０５に水漏れが発生することを確実に防止できるとともに、貯水槽２０の周囲の水滴が滴り落ちることがなく、綺麗な状態を保つことができる。
【００７７】
また、貯水槽２０が高所の棚部４１に載置されていたり、貯水槽２０を載置する棚部４１同士が近接していたり、棚部４１を支持する支柱が貯水槽２０の周囲に多数配置されていたり、１つの棚部４１に載置される貯水槽２０の全長（５０ｍ）が長くても、本発明の貯水槽用シート１０Ａを、貯水槽２０内に敷設する敷設作業が簡単かつ容易に行える。
【００７８】
しかも、貯水槽用シート１０Ａの出隅部１０５を、貯水槽２０の入隅部２０４を覆う大きさ及び形状に予め形成しているため、貯水槽用シート１０Ａの出隅部１０５を引き起こすだけで、貯水槽２０の入隅部２０４に対してぴったりと密着させた状態に敷設することができる。
【００７９】
これにより、貯水槽用シート１０Ａを敷設する敷設作業に熟練や経験を必要とせず、貯水槽用シート１０Ａの敷設作業がだれでも簡単かつ容易に行えるとともに、敷設作業に要する作業時間を大幅に短縮することができる。
【００８０】
さらに、底部シート１０１の長辺側両縁部と短辺側両縁部とを、貯水槽２０の底部２０１と長辺側壁部２０２とが交わる長辺側角部と、底部と短辺側壁部２０３とが交わる短辺側角部とに沿わせた状態で、長辺部シート１０２と短辺部シート１０３とを引き起こして、貯水槽２０の長辺側壁部２０２と短辺側壁部２０３とに沿わせるため、貯水槽用シート１０Ａを強引に変形する必要がない。
【００８１】
これにより、長辺部シート１０２及び短辺部シート１０３に、例えば皺や波打ち、凹凸等が発生することを防止できるとともに、貯水槽２０の長辺側壁部２０２を覆う貯水槽用シート１０Ａの長辺部シート１０２と、貯水槽２０内の水面に浮かせた浮き部材３１の短手方向Ｓの両端部との間に生じる隙間を必要最小限に抑えることができる。
【００８２】
この結果、植物Ａが植えられた浮き部材３１を、水耕栽培装置４０の棚部４１に載置された貯水槽２０に対して長手方向Ｌの一端側から挿入し、浮き部材３１を貯水槽２０の他端側から取り出す場合、貯水槽２０内の水面に浮かせた浮き部材３１を、植物Ａの生育状況に応じて貯水槽２０の長手方向Ｌに向けてスムーズに移動させることができる。
【００８３】
しかも、貯水槽用シート１０Ａの長辺部シート１０２及び短辺部シート１０３に、例えば皺や波打ち、凹凸等が発生しにくいため、長辺部シート１０２と浮き部材３１との間に形成される隙間をより狭くすることができる。  
このため、貯水槽２０内の栽培水３０に入光する光の入射量をより少なくすることができるとともに、例えばアオコやその他の藻類等が貯水槽２０内に発生することを防止できる。
【００８４】
さらに、水面に浮かせた浮き部材３１が、貯水槽２０内に敷設した貯水槽用シート１０Ａに接触することがあっても、貯水槽用シート１０Ａの貯水側の面を平滑に形成しているため、貯水槽用シート１０Ａと浮き部材３１との接触部分に生じる接触抵抗が小さく、水面に浮かせた浮き部材３１を、植物Ａの生育状況に応じて貯水槽２０の長手方向Ｌに対してスムーズに移動させることができる。
【００８５】
例えば藻や水垢、その他の汚れ等が貯水槽用シート１０Ａの貯水側の面に付着しにくく、仮に付着しても簡単かつ容易に除去することができるとともに、除去作業に要する時間を大幅に短縮できる。
【００８６】
さらにまた、藻や水垢、その他の汚れ等を清掃具で除去する際に、清掃具が貯水槽用シート１０Ａに引っ掛かりにくく、貯水槽用シート１０Ａが破れたり、穴が開いたりすることを防止できるとともに、貯水槽用シート１０Ａの貯水側の面に付着した汚れを除去する作業が簡単かつ容易に行える。
【００８７】
さらにまた、貯水槽２０の内壁面が汚れにくく、綺麗な状態を長期に亘り保つことができるため、貯水槽２０や貯水槽用シート１０Ａを清掃する清掃作業の時期を遅延することができる。
【００８８】
さらにまた、貯水槽用シート１０Ａに付設した折り曲げ罫線１２，１２０の底面部１２２を折り曲げよって破断されない肉厚に形成しているため、貯水槽用シート１０Ａの折り曲げ動作を何回繰り返しても、折り曲げ罫線１２，１２０の底面部１２２が破断されることがない。
【００８９】
これにより、貯水槽用シート１０Ａを貯水槽２０の内壁面に対してぴったりと密着させた状態に容易に敷設することができるとともに、貯水槽用シート１０Ａに水漏れが発生することを防止できる。  
しかも、貯水槽用シート１０Ａを敷設した貯水槽２０内に、例えば植物の栽培や、魚介類の養殖等に必要な量の水を確実に貯水することができる。
【００９０】
（実施例２）  
実施例１ではポリエチレン製のシート部材１１Ａで形成した貯水槽用シート１０Ａについて説明したが、実施例２では、図１０（ｂ）に示すように、ポリエチレン製のシート部材１１Ａと、シート部材１１Ａより肉厚が薄いフィルム１１Ｂとを一体に貼り合わせて形成した貯水槽用シート１０Ｂについて説明する。  
図１０（ｂ）はシート部材１１Ａとフィルム１１Ｂとを一体に貼り合わせた実施例２の貯水槽用シート１０Ａの拡大断面図である。
【００９１】
実施例２の貯水槽用シート１０Ｂは、ポリエチレン製のシート部材１１Ａと、シート部材１１Ａより肉厚が薄いフィルム１１Ｂとを一体に貼り合わせて形成するとともに、実施例１の貯水槽用シート１０Ａに比べて、実施例２の貯水槽用シート１０Ｂの肉厚をフィルム１１Ｂの肉厚分だけ薄く形成している（図１０（ｂ）参照）。
【００９２】
つまり、実施例１に加えた作用及び効果を奏することができるとともに、実施例１の貯水槽用シート１０Ａに比べて、実施例２の貯水槽用シート１０Ｂの方が折り曲げやすく、貯水槽用シート１０Ｂを貯水槽２０の内壁面に対してぴったりと密着させた状態に敷設することができる。
【００９３】
（実施例３）  
実施例２ではシート部材１１Ａとフィルム１１Ｂとを貼り合わせた貯水槽用シート１０Ｂについて説明したが、実施例３では、図１１に示すように、発泡樹脂製のシート部材１１Ｃと、シート部材１１Ｃより肉厚が薄いフィルム１１Ｂとを一体に貼り合わせて形成した貯水槽用シート１０Ｃについて説明する。
【００９４】
図１１は実施例３の貯水槽用シート１０Ｃの説明図であり、詳しくは、図１１（ａ）は貯水槽用シート１０Ｃを展開した断面図。図１１（ｂ）は貯水槽用シート１０Ｃを入隅形状及び出隅形状に折り曲げた状態の断面図である。
【００９５】
実施例３の貯水槽用シート１０Ｃは、発泡樹脂製のシート部材１１Ｃと、シート部材１１Ｃより肉厚が薄いフィルム１１Ｂとを一体に貼り合わせて形成している。シート部材１１Ｃには、実施例１で説明した各シートの連設部分に折り曲げ罫線１２を付設している。貯水槽用シート１０Ｃを出隅形状に折り曲げる部分には、シート部材１１Ｃが嵌り込み可能な切欠き部１１Ｄを形成している。切欠き部１１Ｄは、シート部材１１Ｃの肉厚Ｔより所定幅だけ幅広Ｔ+αに形成している。
【００９６】
つまり、実施例１に加えた作用及び効果を奏することができるとともに、実施例１の貯水槽用シート１０Ａに比べて、実施例２の貯水槽用シート１０Ｃの方がより重量が軽く、取り扱い易いため、輸送や運搬する際の作業が容易に行え、作業性が向上する。  
また、貯水槽用シート１０Ｃを貯水槽２０内に敷設する敷設作業、あるいは、経年変化や水漏れ等が生じた貯水槽用シート１０Ｃを巻き取り回収する回収作業が容易に行える。
【００９７】
この発明の構成と、前記実施形態との対応において、  
この発明のシート固定手段は、実施形態の接着剤Ｂに対応するも、
長辺部シートの長辺覆いシートは、上面覆いシート１１２に対応し、  
短辺部シートの短辺覆いシートは、上面覆いシート１１３に対応し、  
この発明は、上述の実施形態の構成のみに限定されるものではなく、請求項に示される技術思想に基づいて応用することができ、多くの実施の形態を得ることができる。
【００９８】
なお、実施例１〜３の貯水槽用シート１０Ａ〜１０Ｃを略平坦な状態に折り畳む場合、例えば長辺部シート１０２を短手方向Ｓの内側に向けて底部シート１０１と対向する方向に対して折り曲げ、短辺部シート１０３を長手方向Ｌの外側に向けて折り曲げることもできる。
【００９９】
また、実施例１では、折り曲げ罫線１２０を、長辺部シート１０２の両端部に付設した例について説明したが、例えば短辺部シート１０３の両端部に付設してもよい。この場合、貯水槽用シート１０の長辺部シート１０２を短手方向Ｓの内側に向けて折り曲げ、短辺部シート１０３を長手方向Ｌの外側に向けて折り曲げることができる。
【０１００】
この結果、貯水槽用シート１０Ａを、図２に示す略平坦な状態に折り畳まれた幅より幅狭に折り畳むことができるため、ロール状に巻回する際により嵩張らず、保管場所がより小さくて済む。
【符号の説明】
【０１０１】
Ｌ…長手方向
Ｓ…短手方向
Ａ…植物
Ｂ…接着剤
２０…貯水槽
２０１…底部
２０２…長辺側壁部
２０３…短辺側壁部
２０４…入隅部
３０…栽培水
３１…浮き部材
４０…水耕栽培装置
４１…棚部
１０Ａ，１０Ｂ，１０Ｃ…貯水槽用シート
１１Ａ，１１Ｃ…シート部材
１１Ｂ…フィルム
１１Ｄ…切欠き部
１０１…底部シート
１０２…長辺部シート
１１２…上面覆いシート
１２２…外面覆いシート
１０３…短辺部シート
１１３…上面覆いシート
１２３…外面覆いシート
１０４…出隅部シート
１０５…出隅部
１２，１２０…折り曲げ罫線
１２１…側面部
１２２…底面部
【図１】
0006670121.tif 000002
【図２】
0006670121.tif 000003
【図３】
0006670121.tif 000004
【図４】
0006670121.tif 000005
【図５】
0006670121.tif 000006
【図６】
0006670121.tif 000007
【図７】
0006670121.tif 000008
【図８】
0006670121.tif 000009
【図９】
0006670121.tif 000010
【図１０】
0006670121.tif 000011
【図１１】
0006670121.tif 000012